(57)【要約】【課題】本発明は加湿空気清浄装置に関するもので、夜間使用時の更なる使用感の向上をすることができるものである。【解決手段】目的を達成するために本発明は、吸気口１と排気口２を有する本体ケース３内に設けられた送風手段６と、送風手段６の風路に設けた空気清浄手段４および加湿手段５と、本体ケース３の周囲の照度を測定する照度センサ１６と、加湿手段５の渇水を検知する渇水検知手段２０と、加湿手段５は水を溜める水槽９と、この水槽９に水を供給する給水タンク部１０と、水槽９内の水を保水できる加湿部と、この加湿部に給水する給水部１８とからなり、渇水検知手段２０によって加湿手段５の渇水を検知すると共に、照度センサ１６によって測定した照度が、所定の照度より小さい場合には、送風手段６と加湿部への給水動作を制御手段２５によって停止し、渇水表示部２３を点灯または点滅させ、ブザー部２２の音を低減または消音するものである。【選択図】図１
2014066402.tif 000002
【特許請求の範囲】
【請求項１】
吸気口と排気口を有する箱形状の本体ケースと、この本体ケース内に設けられた送風手段と、この送風手段の風路に設けた空気清浄手段および加湿手段と、前記本体ケースの周囲の照度を測定する照度センサと、前記加湿手段の渇水を検知する渇水検知手段と、前記渇水検知手段が前記加湿手段の渇水を検知すると音が鳴るブザー部と点灯または点滅する渇水表示部とを備え、前記加湿手段は水を溜める水槽と、この水槽に水を供給する給水タンク部と、前記水槽内の水を保水できる加湿部と、この加湿部に給水する給水部とからなり、前記渇水検知手段によって前記加湿手段の渇水を検知すると共に、前記照度センサによって測定した照度が、所定の照度より小さい場合には、前記送風手段と前記加湿部への給水動作を制御手段によって停止し、前記渇水表示部を点灯または点滅させ、前記ブザー部の音を低減または消音することを特徴とする加湿空気清浄装置。
【請求項２】
前記照度センサによって測定した照度が、所定の照度より小さい場合には、前記渇水表示部の点灯または点滅の照度を前記照度センサによって測定した照度が、所定の照度より大きい場合に比べ小さくすることを特徴とする請求項１に記載の加湿空気清浄装置。
【請求項３】
前記本体ケースの周囲の湿度を測定する湿度センサと、前記湿度センサの測定値を表示する湿度表示部とを有し、前記加湿手段の渇水を検知すると共に、前記照度センサによって測定した照度が、所定の照度より小さい場合は、前記湿度表示部を表示することを特徴とする請求項１または２に記載の加湿空気清浄装置。
【請求項４】
前記給水部によって前記加湿部に給水する加湿空清運転、および前記給水部によって前記加湿部に給水しない空清運転とを表示する運転モード表示部を有し、前記加湿手段の渇水を検知すると共に、前記照度センサによって測定した照度が、所定の照度より小さい場合は、渇水時の前記運転モード表示部を表示することを特徴とする請求項１から３のいずれかに記載の加湿空気清浄装置。
【発明の詳細な説明】
【技術分野】
【０００１】
本発明は、空気を清浄および加湿することのできる加湿空気清浄装置に関する。
【背景技術】
【０００２】
従来のこの種の加湿空気清浄装置の構成は、以下のようになっていた。
【０００３】
すなわち、従来の物においては、吸気口と排気口を有する箱形状の本体ケースと、この本体ケース内に設けられた送風手段と、この送風手段の風路に設けた加湿手段と、前記加湿手段の渇水を検知する渇水検知手段と、前記渇水検知手段が前記加湿手段の渇水を検知すると音が鳴るブザー部と点灯する渇水表示部とから構成されていた。（例えば、これに類似する先行文献は下記特許文献１に記載されている。）
【先行技術文献】
【特許文献】
【０００４】
【特許文献１】実開昭６２−１４１１２７号公報
【発明の概要】
【発明が解決しようとする課題】
【０００５】
上記従来例における課題は、夜間使用時の更なる使用感の向上ということであった。
【０００６】
すなわち、従来の物においては、渇水検知手段が加湿手段の渇水を検知すると音が鳴るブザー部を備えているので、夜間にもブザー部の音がなる場合があった。特に、ホテルなどで使用されていると、宿泊者が、寝ている場合に、ブザー部の音が鳴ると、なぜブザー部の音が鳴っているのかがわからず、使用感の悪いものであった。
【０００７】
そこで、本発明は、夜間使用時の更なる使用感の向上を目的とするものである。
【課題を解決するための手段】
【０００８】
そしてこの目的を達成するために本発明は、吸気口と排気口を有する箱形状の本体ケースと、この本体ケース内に設けられた送風手段と、この送風手段の風路に設けた空気清浄手段および加湿手段と、前記本体ケースの周囲の照度を測定する照度センサと、前記加湿手段の渇水を検知する渇水検知手段と、前記渇水検知手段が前記加湿手段の渇水を検知すると音が鳴るブザー部と点灯または点滅する渇水表示部とを備え、前記加湿手段は水を溜める水槽と、この水槽に水を供給する給水タンク部と、前記水槽内の水を保水できる加湿部と、この加湿部に給水する給水部とからなり、前記渇水検知手段によって前記加湿手段の渇水を検知すると共に、前記照度センサによって測定した照度が、所定の照度より小さい場合には、前記送風手段と前記加湿部への給水動作を制御手段によって停止し、前記渇水表示部を点灯または点滅させ、前記ブザー部の音を低減または消音することを特徴としたものであり、これにより、初期の目的を達成するものである。
【発明の効果】
【０００９】
以上のように本発明は、吸気口と排気口を有する箱形状の本体ケースと、この本体ケース内に設けられた送風手段と、この送風手段の風路に設けた空気清浄手段および加湿手段と、前記本体ケースの周囲の照度を測定する照度センサと、前記加湿手段の渇水を検知する渇水検知手段と、前記渇水検知手段が前記加湿手段の渇水を検知すると音が鳴るブザー部と点灯または点滅する渇水表示部とを備え、前記加湿手段は水を溜める水槽と、この水槽に水を供給する給水タンク部と、前記水槽内の水を保水できる加湿部と、この加湿部に給水する給水部とからなり、前記渇水検知手段によって前記加湿手段の渇水を検知すると共に、前記照度センサによって測定した照度が、所定の照度より小さい場合には、前記送風手段と前記加湿部への給水動作を制御手段によって停止し、前記渇水表示部を点灯または点滅させ、前記ブザー部の音を低減または消音することを特徴としたものであり、夜間使用時の更なる使用感の向上ができるものである。
【００１０】
すなわち、加湿手段の渇水を検知すると共に、照度センサによって測定した照度が、所定の照度より小さい場合には、制御手段によって送風手段と加湿部への給水動作を停止し、渇水表示部を点灯または点滅させ、ブザー部の音を低減または消音するので、夜間に、渇水検知手段が加湿手段の渇水を検知しても、使用者が寝ている場合には、不意に起こすことを低減できる。
【００１１】
これらの結果により、夜間使用時の更なる使用感の向上をさせることができるものである。
【図面の簡単な説明】
【００１２】
【図１】本発明の実施の形態１の加湿装置の斜視図
【図２】同加湿装置の概略断面を示す図
【図３】同加湿装置の給水タンク部の斜視図
【図４】同加湿装置の水槽の斜視図
【図５】同加湿装置の渇水表示部と湿度表示部とを示す図
【図６】同加湿装置の運転モード表示部を示す図
【発明を実施するための形態】
【００１３】
以下、本実施形態を添付図面を用いて説明する。
【００１４】
（実施の形態１）
図１から図３に示すように、本実施形態の加湿空気清浄装置は、吸気口１と排気口２を有する本体ケース３と、この本体ケース３内に空気清浄手段４と、この空気清浄手段４の下流側に加湿手段５と、送風手段６とを備えている。本体ケース３には、本体ケース３の周囲の湿度を測定する湿度センサ１５と、本体ケースの周囲の照度を測定する照度センサ１６とを備えている。
【００１５】
吸気口１は、本体ケース３の前面下部に設けられ、排気口２は、本体ケース３の天面に設けている。
【００１６】
空気清浄手段４は縦長箱形状の空気清浄フィルター４ａで、濾材が蛇腹形状に折られたものであり、吸気口１の風路風下側で、前面化粧板８に対向する位置に設けられている。この空気清浄フィルター４ａの一部は、吸気口１から見える構成である。加湿手段５は、空気清浄手段４の風路風下側に設けられており、水槽９と、給水タンク部１０と、加湿部と、加湿フィルター枠部１２と、回転手段とから形成されている。
【００１７】
略椀形状の水槽９と、水槽９に常時一定の水位となるように水を供給する給水タンク部１０と、水槽９の水に周縁部の一部が常に浸漬した円板状の水槽内の水を保水できる加湿部である加湿フィルター部１１と、この加湿フィルター部１１を固定する略円環形状の加湿フィルター枠部１２と、この加湿フィルター枠部１２を回転させる回転手段とから形成されている。
【００１８】
水槽９の水に周縁部の一部が常に浸漬した円板状の加湿フィルター部１１と、この加湿フィルター部１１を固定する略円環形状の加湿フィルター枠部１２とを回転させる回転手段１７が給水部１８である。すなわち、水槽９の水に周縁部の一部が常に浸漬した円板状の加湿フィルター部１１と、この加湿フィルター部１１を固定する略円環形状の加湿フィルター枠部１２とを回転手段１７によって回転させることにより、加湿部である加湿フィルター部１１に給水するものである。
【００１９】
給水タンク部１０は、水槽９に装着可能な構成で、水を貯水可能なタンク１３と、タンクカバー１４とからなる。このタンクカバー１４は、タンク１３の側面に固定され、水平断面形状がＬ形状で、給水タンク部１０を水槽９に装着すると本体ケース３の一部になる。具体的には、本体ケース３の一方側面側、つまり本体ケース３における正面から見て右側面側と、本体ケース３の背面側の本体ケース３の一部になる。タンクカバー１４には、縦長四角形状の開口１９があり、この開口からタンク１３の一部が見える。
【００２０】
水槽９は、本体ケース３の一方側面側、つまり本体ケース３における正面から見て右側面側から水平方向に着脱自在な構成である。具体的には、給水タンク部１０を取り外した後、本体ケース３の一方側面側から内方へ伸びた空間である加湿装着部に、水槽９をスライドさせて着脱できるものである。
【００２１】
以上の構成で、デザイン性が向上するが、タンクカバー１４の開口からタンク１３の一部しか見えないので、ホテルで使用すると、宿泊者が、外観からは加湿手段５を内蔵していることがわかりにくいものである。
【００２２】
水槽９には、図４に示すように、加湿手段５の渇水を検知する渇水検知手段２０を備えている。渇水検知手段２０の１例は、水槽９に回動自在に装着されたフロート部２１とリードスイッチ（図示せず）である。このフロート部２１は、磁石を備えると共に、水に浮くものである。水槽９に水がある場合と、無い場合では、フロート部２１の位置が異なるので、磁石の位置も異なるものである。この磁石の位置を、磁石を検知するリードスイッチで検知し、加湿手段５の渇水を検知するものである。
【００２３】
図１、２に示すように、渇水検知手段２０が加湿手段５の渇水を検知すると音が鳴るブザー部２２と、点灯または点滅する渇水表示部２３とを備えている。
【００２４】
渇水表示部２３は、図５に示すように、本体ケース３における前面上部に位置し、注水と文字で表示があり、その文字に近接してＬＥＤ２４が位置するものである。このＬＥＤ２４が点灯または点滅するものである。
【００２５】
本実施形態における特徴は、加湿手段５の渇水を検知すると共に、照度センサ１６によって測定した照度が、所定の照度より小さい場合には、制御手段２５によって送風手段６と加湿部への給水動作を停止し、渇水表示部２３を点灯または点滅させ、ブザー部２２の音を低減または消音する点である。
【００２６】
これにより、夜間に、渇水検知手段２０が加湿手段５の渇水を検知しても、使用者が寝ている場合には、不意に起こすことを低減できる。これらの結果により、夜間使用時の更なる使用感の向上をさせることができるものである。
【００２７】
また、照度センサ１６によって測定した照度が、所定の照度より小さい場合には、渇水表示部２３の点灯または点滅の照度を照度センサ１６によって測定した照度が、所定の照度より大きい場合に比べ小さくするものである。
【００２８】
これにより、夜間に、渇水検知手段２０が加湿手段の渇水を検知しても、使用者が寝ている場合には、不意に起こすことを低減できる。これらの結果により、夜間使用時の更なる使用感の向上をさせることができるものである。
【００２９】
また、本体ケース３の周囲の湿度を測定する湿度センサ１５と、湿度センサ１５の測定値を表示する湿度表示部２７とを有するものである。ここで、加湿手段の渇水を検知すると共に、照度センサ１６によって測定した照度が、所定の照度より小さい場合には、湿度表示部２７を表示するのである。この湿度表示部２７は、湿度の数値を表示するものである。
【００３０】
これにより、普段、加湿空気清浄装置を使用していないホテルでの宿泊者が、夜間に、渇水表示部２３の点灯または点滅に気づいた場合に、本体の外観からは加湿手段５を内蔵していることがわかりにくいので、注水の意味がわからない場合にも、湿度表示部２７の表示を見ることにより、加湿している途中で渇水したことに気づき、注水の意味に気づき易くなる。
【００３１】
また、照度センサ１６によって測定した照度が、所定の照度より小さい場合には、湿度表示部２７の照度を照度センサ１６によって測定した照度が、所定の照度より大きい場合に比べ小さくするものである。
【００３２】
また、給水部１８によって加湿部に給水する加湿空清運転、および給水部１８によって加湿部に給水しない空清運転とを表示する運転モード表示部２８を有するものである。ここで、加湿手段５の渇水を検知すると共に、照度センサ１６によって測定した照度が、所定の照度より小さい場合は、渇水時の運転モード表示部２８を表示するものである。図６に示すように、運転モード表示部２８は、加湿空気清浄、空清清浄と文字で表示があり、その文字に近接してＬＥＤが位置するものである。このＬＥＤ２９が点灯または点滅するものである。
【００３３】
これにより、普段、加湿空気清浄装置を使用していないホテルでの宿泊者が、夜間に、渇水表示部２３の点灯または点滅に気づいた場合に、本体の外観からは加湿手段５を内蔵していることがわかりにくいので、注水の意味がわからない場合にも、運転モード表示部２８の表示を見ることにより、加湿空気清浄、つまり加湿している途中で渇水したことに気づき、注水の意味に気づき易くなる。
【００３４】
また、照度センサ１６によって測定した照度が、所定の照度より小さい場合には、運転モード表示部２８の照度を照度センサ１６によって測定した照度が、所定の照度より大きい場合に比べ小さくするものである。
【産業上の利用可能性】
【００３５】
以上のように本発明は、吸気口と排気口を有する箱形状の本体ケースと、この本体ケース内に設けられた送風手段と、この送風手段の風路に設けた空気清浄手段および加湿手段と、前記本体ケースの周囲の照度を測定する照度センサと、前記加湿手段の渇水を検知する渇水検知手段と、前記渇水検知手段が前記加湿手段の渇水を検知すると音が鳴るブザー部と点灯または点滅する渇水表示部とを備え、前記加湿手段は水を溜める水槽と、この水槽に水を供給する給水タンク部と、前記水槽内の水を保水できる加湿部と、この加湿部に給水する給水部とからなり、前記渇水検知手段によって前記加湿手段の渇水を検知すると共に、前記照度センサによって測定した照度が、所定の照度より小さい場合には、前記送風手段と前記加湿部への給水動作を制御手段によって停止し、前記渇水表示部を点灯または点滅させ、前記ブザー部の音を低減または消音することを特徴としたものであり、夜間使用時の更なる使用感の向上ができるものである。
【００３６】
すなわち、加湿手段の渇水を検知すると共に、照度センサによって測定した照度が、所定の照度より小さい場合には、制御手段によって送風手段と加湿部への給水動作を停止し、渇水表示部を点灯または点滅させ、ブザー部の音を低減または消音するので、夜間に、渇水検知手段が加湿手段の渇水を検知しても、使用者が寝ている場合には、不意に起こすことを低減できる。
【００３７】
これらの結果により、夜間使用時の更なる使用感の向上をさせることができるものである。
【００３８】
従って、家庭用や事務所用などの、加湿装置として活用が期待されるものである。
【符号の説明】
【００３９】
１    吸気口
２    排気口
３    本体ケース
４    空気清浄手段
４ａ  空気清浄フィルター
５    加湿手段
６    送風手段
８    前面化粧板
９    水槽
１０    給水タンク部
１１    加湿フィルター部
１２    加湿フィルター枠部
１３    タンク
１４    タンクカバー
１５    湿度センサ
１６    照度センサ
１７    回転手段
１８    給水部
１９    開口
２０    渇水検知手段
２１    フロート部
２２    ブザー部
２３    渇水表示部
２４    ＬＥＤ
２５    制御手段
２７    湿度表示部
２８    運転モード表示部
２９    ＬＥＤ
【図１】
2014066402.tif 000003
【図２】
2014066402.tif 000004
【図３】
2014066402.tif 000005
【図４】
2014066402.tif 000006
【図５】
2014066402.tif 000007
【図６】
2014066402.tif 000008